(57)【要約】【課題】封印構造の形成作業を簡便なものとする封印形成用工具を提供すること。【解決手段】開閉可能とした複数の部材間に渡って掛け渡した封印線と、塑性軟質材からなり、挿通穴が形成された封印部材とを用い、前記挿通穴に封印線を挿通させた状態として封印部材を押圧変形させて封印線にかしめ着け、前記複数の部材の開閉を制限する封印構造を形成するための封印形成用工具であって、当該封印形成用工具は、前記封印部材を保持する保持部を一端に有する保持部材と、前記保持部材に保持された封印部材に対して押圧力を作用させる押圧部を一端に有する押圧部材とを備え、これらの保持部材と押圧部材とは、いずれも他端側で連結部材を介して揺動可能に連結され、前記一端側を開閉可能に形成してある。【選択図】図１
2010185244.tif 000002
【特許請求の範囲】
【請求項１】
開閉可能とした複数の部材間に渡って掛け渡した封印線と、
塑性軟質材からなり、挿通穴が形成された封印部材とを用い、
前記挿通穴に封印線を挿通させた状態として封印部材を押圧変形させて封印線にかしめ着け、前記複数の部材の開閉を制限する封印構造を形成するための封印形成用工具であって、
当該封印形成用工具は、
前記封印部材を保持する保持部を一端に有する保持部材と、
前記保持部材に保持された封印部材に対して押圧力を作用させる押圧部を一端に有する押圧部材とを備え、
これらの保持部材と押圧部材とは、いずれも他端側で連結部材を介して揺動可能に連結され、前記一端側を開閉可能に形成してあることを特徴とする封印形成用工具。
【請求項２】
前記保持部には、この保持部に保持された封印部材における挿通穴の一方の開口端に向けて挿通させる封印線の先端を案内する挿入案内手段形成してあることを特徴とする請求項１記載の封印形成用工具。
【請求項３】
前記保持部には、この保持部に保持された封印部材における挿通穴の他方の開口端に連なって形成された封印線先端部逃がし手段を設けたことを特徴とする請求項１または２記載の封印形成用工具。
【請求項４】
前記挿通穴の他方の開放端の近傍となる前記封印線先端部逃がし手段中には、挿通穴から延在する封印線の切断手段を設けたことを特徴とする請求項３記載の封印形成用工具。
【発明の詳細な説明】
【技術分野】
【０００１】
本発明は、例えば、電力量計などでは蓋体と基部とが開閉可能に形成されており、その蓋体がみだりに開閉されることを防止するために行う封印を形成する際に使用する封印形成用工具に関する。
【背景技術】
【０００２】
従来より、電力量計において、蓋体と基部との間に形成される封印構造としては、封印線と封印部材とを用いたものがある（例えば、特許文献１）。
【０００３】
従来から行われているこの種の封印構造の形成作業は、図１３および図１４に示すように、電力量計１は、基部３と蓋体５で筐体を形成しており、その内部に機能部品等の装置が収容されているので、蓋体５は基部３に対して開閉可能となっていて、みだりに開放されることを防止するために、基部３と蓋体５とには次のようにして封印構造が形成されている。
【０００４】
電力量計１の基部３と蓋体５とには、それぞれ封印線７を通すための貫通穴３ａ、５ａが形成されている。また、蓋体５を基部３に対して閉止状態に固定するための止めビス９の頭部には、封印線７を通すための貫通穴９ａが形成されている。
【０００５】
封印線７は、止めビス９の貫通穴９ａを通り、蓋体５の貫通穴５ａ、基部３の貫通穴３ａを巡らせて、手元に引き出し、封印線７の始端部と末端部との両方を引きそろえて、封印部材１１の挿通穴１１ａに通し、封印部材１１をペンチで挟みつけて挿通穴１１ａを塑性変形させて封印部材１１を封印線７に対してかしめつけ、封印部材１１から先にはみ出した余分の封印線７を短く切りそろえることで封印形成作業が終了する。
【先行技術文献】
【特許文献】
【０００６】
【特許文献１】特開２００６−６５００７号公報
【発明の概要】
【発明が解決しようとする課題】
【０００７】
ところで、このような封印構造の形成作業は、封印線を封印対象部材に通す作業、封印線を封印部材に通す作業、封印部材をかしめる作業、余分の封印線を切りそろえる作業等、各種の作業を一連で行う作業であり、従来は、手作業の他はペンチなどの汎用工具を用いた作業として行っていたため、作業が煩雑であった。
【０００８】
本発明は、このような事情に基づいてなされたもので、封印構造の形成作業を簡便なものとすることを目的とする。
【課題を解決するための手段】
【０００９】
本発明者らは、この種の封印構造の形成作業を検討して、その作業の煩雑さの一因が汎用工具を使用していることにあることを見出し、本発明を完成するに至った。
【００１０】
（１）  開閉可能とした複数の部材間に渡って掛け渡した封印線と、塑性軟質材からなり、挿通穴が形成された封印部材とを用い、前記挿通穴に封印線を挿通させた状態として封印部材を押圧変形させて封印線にかしめ着け、前記複数の部材の開閉を制限する封印構造を形成するための封印形成用工具であって、
当該封印形成用工具は、前記封印部材を保持する保持部を一端に有する保持部材と、前記保持部材に保持された封印部材に対して押圧力を作用させる押圧部を一端に有する押圧部材とを備え、
これらの保持部材と押圧部材とは、いずれも他端側で連結部材を介して揺動可能に連結され、前記一端側を開閉可能に形成したものである。
【００１１】
（１）の封印形成用工具が、封印部材を保持する保持部を一端に有する保持部材と、保持部材に保持された封印部材に対して押圧力を作用させる押圧部を一端に有する押圧部材とを備え、これらの保持部材と押圧部材とは、いずれも他端側で連結部材を介して揺動可能に連結され、前記一端側を開閉可能に形成したものであるから、封印部材を保持部材の保持部にセットして、そのまま保持部材と押圧部材とを片手で握っていることで、封印部材を一定の状態に保持しておくことができ、その間に他方の片手で手作業を行うことも可能となる。また、保持部材と押圧部材とを握っている片手に力を込めて押圧することにより封印部材に対するかしめ操作を迅速に行うことができるので、その操作も簡便である。
【００１２】
（２）さらに、前記保持部には、この保持部に保持された封印部材における挿通穴の一方の開口端に向けて挿通させる封印線の先端を案内する挿入案内手段を形成した封印形成用工具である。
【００１３】
（２）の挿入案内手段は、保持部材の保持部に封印部材を保持させた状態で、封印部材の挿通穴の開口端に封印線の先端を案内するので、封印部材への封印線の挿通作業の作業性が良好となり、作業が簡便になる。
【００１４】
（３）さらに、前記保持部には、この保持部に保持された封印部材における挿通穴の他方の開口端に連なって形成された封印線先端部逃がし手段を設けた封印形成用工具である。
【００１５】
（３）の封印線先端部逃がし手段は、封印に用いられた封印線が長めの場合に、封印部材の挿通穴の他方の開口端からさらに先に延伸させることで、封印線上の適切な位置に封印部材をかしめつけることが容易となる。
【００１６】
（４）さらに、前記挿通穴の他方の開口端の近傍となる前記封印線先端部逃がし手段の範囲内には、挿通穴から延在する封印線を切断する切断手段を配置した封印形成用工具である。
【００１７】
（４）の切断手段は、封印作業に少し長めの封印線を用いた場合、封印部材の挿通穴の他方の開口端から延在する封印線をその位置で切断し、封印線が封印部材から過大に延びだした状態とならず、良好な封印状態を確実に実現することができる。しかも、この切断部が、押圧部材に設置されているので、封印部材を封印部材に対してかしめつける押圧操作で、この切断操作をも行うことができる。
【発明の効果】
【００１８】
本発明によれば、封印形成用工具が、封印部材を保持する保持部を一端に有する保持部材と、保持部材に保持された封印部材に対して押圧力を作用させる押圧部を一端に有する押圧部材とを備え、これらの保持部材と押圧部材とは、いずれも他端側で連結部材を介して揺動可能に連結され、前記一端側を開閉可能に形成したものであるから、封印部材を保持部材の保持部にセットして、そのまま保持部材と押圧部材とを片手で握っていることで、封印部材を一定の状態に保持しておくことができ、その間に他方の片手で手作業を行うことも可能となる。また、保持部材と押圧部材とを握っている片手に力を込めて押圧することにより封印部材に対するかしめ操作を迅速に行うことができるので、その操作も簡便である。
【図面の簡単な説明】
【００１９】
【図１】本発明の実施形態の封印用工具を示す斜視図である。
【図２】本発明の実施形態の封印用工具を開いた状態の図である。
【図３】本発明の実施形態の封印用工具の一端側での中央断面図である。
【図４】本発明の実施形態の封印用工具に関し、（ａ）は保持部近傍の拡大平面図、（ｂ）は保持部に保持された封印部材の正面図である。
【図５】実施形態の封印用工具に用いる封印部材の平面図である。
【図６】図５の封印部材の中央断面図である。
【図７】実施形態に用いる封印線の側面図である。
【図８】実施形態の封印用工具に用いる別の封印部材の平面図である。
【図９】図８の封印部材の中央断面図である。
【図１０】封印線先端部逃がし手段の別の実施形態を示す図面である。
【図１１】封印線の挿通方向を横向きとした別の実施形態の斜視図である。
【図１２】封印線の挿通方向を調節可能とした別の実施形態に関し、（ａ）は平面図、（ｂ）は（ａ）と対応した押圧部および切断部の底面図。（ｃ）は前記（ａ）の回転台座を横向きにセットした状態の平面図、（ｄ）は（ｂ）を横向きにセットして前記（ｃ）に対応させた状態の底面図、（ｅ）は（ａ）と（ｂ）との中央断面図を対応位置に示した図面である。
【図１３】電力量計の斜視図である。
【図１４】電力量計の要部拡大図である。
【発明を実施するための形態】
【００２０】
以下、本発明の実施形態について図面により説明する。
【００２１】
封印形成用工具２１は、図１および図２に全体形態を示すように、保持部材２３と押圧部材２５とを連結部材である枢軸２７を介して接続したものである。以下、概ね主に図３に基づき説明する。
【００２２】
保持部材２３は、一端側に凹部として形成した保持部２３ａを備え、この保持部２３ａには封印部材１１が、その挿通穴１１ａが保持部材２３の長手方向に向くように収容保持される。そして、保持部２３ａの前記一端側の立ち壁部分には、前記一端側から保持部２３ａに収容された封印部材１１の挿通穴１１ａの開口端１１ｂに向けて切り欠き溝が形成されていて、この切り欠き溝は、封印線７を保持部２３ａに保持した封印部材１１の開口端に案内する案内溝２３ｃとなる（図４（ａ）、（ｂ）参照）。この案内溝２３ｃは、この発明でいう挿入案内手段であって、前記一端側が幅広に形成され封印部材１１側では幅狭となるテーパ面２３ｄが形成されている。そのため、前記一端側から封印線７（図７参照）を差し込む際に、前記テーパ面２３ｄは、封印線７の先端を徐々に封印部材１１の開口端１１ｂに導き、封印線７の挿通が円滑に行われる。
【００２３】
この保持部２３ａを形成する凹部の他端側（連結部材２７側）の立ち壁には、切り欠き溝からなる封印線先端部逃がし手段２９が設けられていて、長めの封印線７を使用した場合に、余分の封印線７がここに延在できるようになっている。そのため、保持部２３ａの封印部材１１やこの封印部材１１より前記一端側の封印構造部分側で封印線７が過大にたるむなど、不適切な封印状況となることが防止できる。
【００２４】
そして、この封印線先端部逃がし手段２９を構成する切り欠き溝内で、前記保持部２３ａ直近の位置に、段状の切断刃２９ａが設けられている。この切断刃２９ａは、押圧部材２５に設けられた後述の切刃２５ｃと組み合わされて、封印線先端部逃がし手段２９内に延在する余分の封印線７を切断する切断手段３１を構成する。
【００２５】
この実施形態においては、封印線先端部逃がし手段２９の他端側には、大きな排出穴２３ｅが封印線先端逃がし手段２９に連なって形成されている。排出穴２３ｅは、封印線先端部逃がし手段２９内を超えるほど過大な封印線７が用いられた場合に、封印線先端部逃がし手段２９を超える部分の封印線７を排出穴２３ｅから下方に垂下延在させて、形成される封印構造を健全なものに維持することができる。また、前記封印線先端部逃がし手段２９内に延在する余分の封印線７を前記切断刃２９ａ等で切断した場合に、その封印線７の切除片をこの排出穴２３ｅから落下させて排除する機能をも果たす。
【００２６】
一方、押圧部材２５には、一端側に押圧部２５ａが設けられていて、この押圧部２５ａは前記保持部材２３の保持部２３ａに保持された封印部材１１の押圧凸部１１ｃ上に衝合するようになっている。また、この押圧部２５ａの他端側には、保持部材２３の切断刃２９ａと対をなす切刃２５ｃが切断刃２９ａと対応する位置に設置されている。
【００２７】
保持部材２３と押圧部材２５との他端側には、それぞれから伸びだしたブラケット２３ｆ、２５ｂがそれぞれ一対ずつ設けられていて、これらのブラケット２３ｆ、２５ｂの間に連結部材である枢軸２７が設置されて、保持部材２３と押圧部材２５とは他端側に位置するこの枢軸２７を介して、一端側が開閉するように揺動可能となっている。
【００２８】
したがって、封印作業においては、例えば、概ね所要長さに切断した封印線７を、前記電力量計の場合には、前記止めビス９頭部の貫通穴９ａ、蓋体５の貫通穴５ａ、基部３の貫通穴３ａと順に通して、封印線７の両端をひき揃えておく。その後、保持部材２３の保持部２３ａに封印部材１１の挿通穴１１ａが案内溝２３ｃと封印線先端部逃がし手段２９とに向くようにセットし、保持部材２３と押圧部材２５とを軽く握って封印部材１１がみだりに動かないように保持する。そして、この状態で、前記封印線７の始端と末端の両方の先端部を、案内溝２３ｃ側から封印部材１１の挿通穴１１ａに挿入する。このとき、前記案内溝２３ｃが封印線７の挿通穴１１ａへの進入方向を案内するので、挿入作業が円滑に行える。
【００２９】
このようにして、封印線７を封印部材１１の挿通穴１１ａに挿入した後、握っていた保持部材２３と押圧部材２５とに力を込めると、押圧部材２５の押圧部２５ａが封印部材１１の押圧凸部１１ｃに押圧力が作用して、押圧凸部１１ｃ下の挿通穴１１ａを形成する薄肉の塑性軟質金属からなるチューブを扁平に塑性変形させて、封印線７に封印部材１１がかしめ着けられることになる。
【００３０】
なお、使用した封印線７が所要長さより幾分長い場合には、封印線７の先端部は、封印部材１１の挿通穴１１ａから他端側に延在するが、保持部材２３と押圧部材２５とを軽く握った封印部材１１の塑性変形前のセット状態の場合には、押圧部材２５の切断刃２９ａの先端は、封印部材１１の挿通穴１１ａの上部より高い位置にあり、封印線７が切断刃２９ａの下方を挿通されることを妨げないようになっているので、封印線７の先端部は切断刃２９ａよりもさらに他端側にまで達することになる。
【００３１】
この後に、保持部材２３と押圧部材２５とを強く握り、押圧部材２５の押圧部２５ａが封印部材１１の挿通穴１１ａを扁平に塑性変形させる動作に伴って、前記切刃２５ｃは直下の位置で封印先端部逃がし手段２９内に延在している封印線７を、保持部材２３の切断刃２９ａとの間で切断する。これによって、封印構造が余分な長さの封印線７を伴うことは無い。なお、このようにして余分な封印線７を切断刃２９ａ等で切断した後、切断された封印線片は、排出穴２３ｅからまたは保持部材２３を下向きに傾けることで、封印線先端部逃がし手段２９内から除去することができる。
【００３２】
なお、以上の説明においては、図５および図６に示すように平面視六角形の形状をした封印部材１１を用いて説明したが、図８および図９に示すように、平面視略円形の形状をした封印部材１１であっても同様である。なお、平面視略円形の形状をした封印部材の場合でも、平面視で円弧状の一部に直線部分３３を設けて、この直線部分３３に挿通穴１１ａの開口端１１ｂを位置させてある。そして、前記保持部２３ａの平面形状においても、これらの直線部分３３が案内溝２３ｃと封印線先端部逃がし手段２９に臨む位置に形成されているので、前記直線部分３３によって、挿通穴１１ａの開口端１１ｂを保持部２３ａ内で正確に位置させて前記と同様の機能を発揮することができる。
【００３３】
図１０の実施形態は、前記実施形態に設けられていた排出穴２３ｅを設けず、封印線先端部逃げ手段２９のみとしたものである。この場合、予め用意する封印線７の長さ寸法を先の実施形態より幾分精度良く作成することが必要となるが、工具２１をコンパクトなものとすることができる利点がある。
【００３４】
図１１の実施形態は、封印線７の挿入方向を保持部材２３等と直交する方向に設定したものである。この場合、保持された封印部材１１に対して、封印線７を横方向から挿入し、過大な封印線７も横方向に延在することになるため、予め準備する封印線７の長さの大きなばらつきに対しても対処することができるうえ、工具２１を握った横方向からの封印線７の挿入作業となるので、先端側（一端側）から封印線７を挿入する場合に比べて、挿入作業が行いやすい利点がある。
【００３５】
図１２（ａ）から（ｅ）に示す実施形態は、保持部材２３と押圧部材２５とに、円板状のベース板３５ａ，３５ｂを設け、保持部材２３に設置されるベース板３５ａ上に保持部２３ａ等を設け、押圧部材２５に設置されるベース板３５ｂ上に押圧部２５ａ等を設けるものであり、これらのベース板３５ａ，３５ｂはともに平面視円形の外形の中心位置Ｏにボルト穴３７を設けて、ベース板３５ａ，３５ｂを適宜に回転変位させた状態としても設置可能にしたもので、ボルト３９で保持部材２３あるいは押圧部材２５に締め付けて固定することができるものである。
【００３６】
なお、保持部材２３に設けるベース板３５ａ上のみでは、封印線先端部逃がし手段２９としての寸法が不足気味になることが懸念されるので、ベース板３５ａの他端側となる保持部材２３上にベース板３５ａに形成した封印線先端部逃がし手段２９に連なる延長溝４１を設けて十分な長さ寸法を確保している。
【００３７】
このように構成された、工具２１では、ベース板３５ａ．３５ｂの設定方向を変更することにより、工具２１に対する封印線７の挿入方向を自由に設定することができる。
例えば、同図（ｃ）および（ｄ）のように、保持部材２３の長手方向に対して直交方向に９０度回してベース板３５ａを固定する場合、押圧部材２５に対しても保持部材２３に対応するようにベース板３５ｂを直交方向に回してそのベース板３５ｂをボルト３９で固定する必要がある。
【００３８】
このようにして、保持部材２３および押圧部材２５のそれぞれのベース板３５ａ，３５ｂを直交方向に向けて設定すると、この工具２１は、先に図１１で説明したと同様の機能を発揮することが可能であり、個々の具体的な封印作業において、その作業状況や作業環境に応じて適切な方向から封印線７を挿入することが可能となり、作業性が高まる利点がある。
【符号の説明】
【００３９】
１    電力量計
３    基部
３ａ    貫通穴
５    蓋体
５ａ    貫通穴
７    封印線
９    止めビス
９ａ    貫通穴
１１    封印部材
１１ａ    挿通穴
１１ｂ    開口端
１１ｃ    押圧凸部
２１    封印形成用工具
２３    保持部材
２３ａ    保持部
２３ｃ    案内溝
２３ｄ    テーパ面
２３ｅ    排出穴
２３ｆ    ブラケット
２５    押圧部材
２５ａ    押圧部
２５ｂ    ブラケット
２５ｃ    切刃
２７    枢軸
２９    封印線先端部逃がし手段
２９ａ    切断刃
３１    切断手段
３３    直線部分
３５ａ    ベース板
３５ｂ    ベース板
３７    ボルト穴
３９    ボルト
４１    延長溝
Ｏ    中心位置
【図１】
2010185244.tif 000003
【図２】
2010185244.tif 000004
【図３】
2010185244.tif 000005
【図４】
2010185244.tif 000006
【図５】
2010185244.tif 000007
【図６】
2010185244.tif 000008
【図７】
2010185244.tif 000009
【図８】
2010185244.tif 000010
【図９】
2010185244.tif 000011
【図１０】
2010185244.tif 000012
【図１１】
2010185244.tif 000013
【図１２】
2010185244.tif 000014
【図１３】
2010185244.tif 000015
【図１４】
2010185244.tif 000016